(57)【特許請求の範囲】
【請求項１】
芯線を備えた電線と、
前記芯線に圧着されたオープンバレルタイプのワイヤーバレルを有する端子と、を備え、
前記芯線には、前記ワイヤーバレルによって比較的に弱く圧着された低圧縮領域と、前記低圧縮領域よりも強く圧着された高圧縮領域と、が前記芯線の軸線方向と直交する方向について並んで形成されており、
前記低圧縮領域に圧着された前記ワイヤーバレルのクリンプハイトは、前記高圧縮領域に圧着された前記ワイヤーバレルのクリンプハイトよりも高く設定されている端子付き電線。
【請求項２】
前記芯線のうち、前記低圧縮領域の断面積が前記高圧縮領域の断面積よりも大きく設定されている請求項１に記載の端子付き電線。
【請求項３】
前記ワイヤーバレルの端部は、前記芯線の軸線と異なる位置に向かって変形されて、前記芯線の内部に押し込まれている請求項１または請求項２に記載の端子付き電線。
【請求項４】
前記ワイヤーバレルは、前記低圧縮領域に圧着された低圧縮ワイヤーバレルと、前記高圧縮領域に圧着された高圧縮ワイヤーバレルと、を備え、前記低圧縮ワイヤーバレルの長さ寸法は前記高圧縮ワイヤーバレルの長さ寸法よりも長く設定されている請求項１ないし請求項３のいずれか一項に記載の端子付き電線。
【請求項５】
前記低圧縮ワイヤーバレルの端部と、前記高圧縮ワイヤーバレルの端部とは、前記芯線の軸線の中心位置からずれた位置において当接している請求項４に記載の端子付き電線。
【請求項６】
前記高圧縮ワイヤーバレルの先端が折り返されて折り返し部が形成されている請求項４または請求項５に記載の端子付き電線。
【請求項７】
前記ワイヤーバレルには、前記芯線と対向する面と反対側の面に、アンビルとの位置ずれを防止するための位置ずれ防止手段が形成されている請求項１ないし請求項６のいずれか一項に記載の端子付き電線。
【請求項８】
前記位置ずれ防止手段は、前記ワイヤーバレルに形成された凹部である請求項７に記載の端子付き電線。
【請求項９】
前記芯線はアルミニウム又はアルミニウム合金からなる請求項１ないし請求項８のいずれか一項に記載の端子付き電線。
【請求項１０】
前記芯線は複数の素線が撚り合されてなる請求項１ないし請求項９のいずれか一項に記載の端子付き電線。
【請求項１１】
前記電線は、前記芯線の外周を被覆する絶縁被覆を備えた請求項１ないし請求項１０のいずれか一項に記載の端子付き電線。
【請求項１２】
前記端子は、前記ワイヤーバレルから延びると共に前記絶縁被覆の外周に圧着されるインシュレーションバレルを備えた請求項１１に記載の端子付き電線。
【請求項１３】
前記端子は銅又は銅合金からなる請求項１ないし請求項１２のいずれか一項に記載の端子付き電線。
【請求項１４】
前記端子の表面にはメッキ層が形成されている請求項１ないし請求項１３のいずれか一項に記載の端子付き電線。
【請求項１５】
前記メッキ層はスズメッキ層である請求項１４に記載の端子付き電線。
【請求項１６】
前記端子は、前記ワイヤーバレルから延びると共に相手側端子と接続する接続部を備えた請求項１ないし請求項１５のいずれか一項に記載の端子付き電線。
【請求項１７】
芯線を備えた電線の前記芯線に圧着されるオープンバレルタイプのワイヤーバレルを有する端子であって、
前記芯線に前記ワイヤーバレルが圧着された状態において、前記芯線には、前記ワイヤーバレルによって比較的に弱く圧着された低圧縮領域と、前記低圧縮領域よりも強く圧着された高圧縮領域と、が前記芯線の軸線方向と直交する方向について並んで形成されており、
前記ワイヤーバレルは、前記低圧縮領域に圧着される低圧縮ワイヤーバレルと、前記高圧縮領域に圧着される高圧縮ワイヤーバレルと、を備え、
前記芯線に前記ワイヤーバレルが圧着された状態において、前記低圧縮領域に圧着された前記低圧縮ワイヤーバレルのクリンプハイトは、前記高圧縮領域に圧着された前記高圧縮ワイヤーバレルのクリンプハイトよりも高く設定されている端子。
【請求項１８】
前記低圧縮ワイヤーバレルの長さ寸法は前記高圧縮ワイヤーバレルの長さ寸法よりも長く設定されている請求項１７に記載の端子。
【請求項１９】
前記ワイヤーバレルが前記芯線に圧着された状態において、前記低圧縮ワイヤーバレルの端部と、前記高圧縮ワイヤーバレルの端部とは、前記芯線の軸線の中心位置からずれた位置において当接している請求項１７または請求項１８に記載の端子。
【請求項２０】
前記高圧縮ワイヤーバレルの先端が折り返されて折り返し部が形成されている請求項１８または請求項１９に記載の端子。
【請求項２１】
前記ワイヤーバレルには、前記芯線と対向する面と反対側の面に、アンビルとの位置ずれを防止するための位置ずれ防止手段が形成されている請求項１７ないし請求項２０のいずれか一項に記載の端子。
【請求項２２】
前記位置ずれ防止手段は、前記ワイヤーバレルに形成された凹部である請求項２１に記載の端子。
【請求項２３】
前記芯線はアルミニウム又はアルミニウム合金からなる請求項１７ないし請求項２２のいずれか一項に記載の端子。
【請求項２４】
前記端子は銅又は銅合金からなる請求項１７ないし請求項２３のいずれか一項に記載の端子。
【請求項２５】
前記端子の表面にはメッキ層が形成されている請求項１７ないし請求項２４のいずれか一項に記載の端子。
【請求項２６】
前記メッキ層はスズメッキ層である請求項２５に記載の端子。
【請求項２７】
前記端子は、前記ワイヤーバレルから延びると共に相手側端子と接続する接続部を備えた請求項１７ないし請求項２６のいずれか一項に記載の端子。
【発明の詳細な説明】
【技術分野】
【０００１】
本発明は、端子及び端子付き電線に関する。
【背景技術】
【０００２】
従来、電線から露出する芯線に、端子に形成されたワイヤーバレルを外側から巻き付けるように圧着することにより電気的導通を図った端子付き電線が知られている（特許文献１参照）。
【先行技術文献】
【特許文献】
【０００３】
【特許文献１】特開平１０−１２５３６２号公報
【発明の概要】
【発明が解決しようとする課題】
【０００４】
上記の芯線の表面に酸化被膜が形成されると、芯線と端子、あるいは芯線同士の電気抵抗が大きくなることが懸念される。電気抵抗を小さくするためには、芯線に対して高い圧力でワイヤーバレルを圧着することにより、芯線の表面の酸化被膜を破壊することが考えられる。この結果、芯線の表面に形成された酸化被膜が破れて芯線の新生面が露出し、この新生面同士、あるいは新生面と端子とが接触することにより、電気抵抗が小さくなることが期待された。
【０００５】
しかしながら上記の手法によると、芯線の断面積が大きく減少するため、機械的強度、特に衝撃的な荷重に対する引張強度が低下する。より具体的には端子が電線を保持する強度が低下する。特に、芯線がアルミ製の場合には、素線表面の酸化被膜を破壊するために銅製の芯線と比較してより高圧縮で圧着しなければならないことが知られているが、背反として、素線切れの問題があり、素線切れを防止するためにはできる限り低圧縮で圧着することが望ましい。
【０００６】
本発明は上記のような事情に基づいて完成されたものであって、より良好な電気的性能と電線（芯線）の保持力とを両立できる端子及び端子付き電線を提供することを目的とする。
【課題を解決するための手段】
【０００７】
本発明は、端子付き電線であって、芯線を備えた電線と、前記芯線に圧着されたオープンバレルタイプのワイヤーバレルを有する端子と、を備え、前記芯線には、前記ワイヤーバレルによって比較的に弱く圧着された低圧縮領域と、前記低圧縮領域よりも強く圧着された高圧縮領域と、が前記芯線の軸線方向と直交する方向について並んで形成されている。
【０００８】
また、本発明は、芯線を備えた電線の前記芯線に圧着されるオープンバレルタイプのワイヤーバレルを有する端子であって、前記芯線に前記ワイヤーバレルが圧着された状態において、前記芯線には、前記ワイヤーバレルによって比較的に弱く圧着された低圧縮領域と、前記低圧縮領域よりも強く圧着された高圧縮領域と、が前記芯線の軸線方向と直交する方向について並んで形成されており、前記ワイヤーバレルは、前記低圧縮領域を圧縮する低圧縮ワイヤーバレルと、前記高圧縮ワイヤーバレルと、を備える。
【０００９】
本発明によれば、まず、低圧縮領域においては、芯線が比較的に弱く圧着されることにより、芯線の保持力が向上する。これにより、電線に対して引張力が加えられた場合でも、電線から端子が離間することを抑制することができる。
【００１０】
また、高圧縮領域においては、芯線が低圧縮領域よりも強く圧着されることにより、芯線の表面に形成された酸化被膜が破壊される。すると、芯線の金属表面が、破壊された酸化被膜の間から露出する。この芯線の金属表面と、ワイヤーバレルとが比較的に高い圧力で圧着されることにより、芯線とワイヤーバレルとの間が電気的に接続される。この結果、芯線と端子とが確実に電気的に接続される。
【００１１】
このように本発明においては、芯線は、芯線の低圧縮領域に圧着されたワイヤーバレルによって確実に保持される。また、芯線と端子との電気的性能は、芯線の高圧縮領域に圧着されたワイヤーバレルによって向上される。この結果、より良好な電気的性能と電線（芯線）の保持力とを両立させることができる。
【００１２】
本発明の実施態様としては以下の態様が好ましい。
前記芯線のうち、前記低圧縮領域の断面積が前記高圧縮領域の断面積よりも大きく設定されていることが好ましい。
【００１３】
前記低圧縮領域に圧着された前記ワイヤーバレルのクリンプハイトは、前記高圧縮領域に圧着された前記ワイヤーバレルのクリンプハイトよりも高く設定されていることが好ましい。
【００１４】
前記ワイヤーバレルの端部は、前記芯線の軸線と異なる位置に向かって変形されて、前記芯線の内部に押し込まれていることが好ましい。
【００１５】
前記ワイヤーバレルは、前記低圧縮領域に圧着された低圧縮ワイヤーバレルと、前記高圧縮領域に圧着された高圧縮ワイヤーバレルと、を備え、前記低圧縮ワイヤーバレルの長さ寸法は前記高圧縮ワイヤーバレルの長さ寸法よりも長く設定されていることが好ましい。
【００１６】
前記ワイヤーバレルが前記芯線に圧着された状態において、前記低圧縮ワイヤーバレルの端部と、前記高圧縮ワイヤーバレルの端部とは、前記芯線の軸線の中心位置からずれた位置において当接していることが好ましい。
【００１７】
前記高圧縮ワイヤーバレルの先端が折り返されて折り返し部が形成されているころが好ましい。
【００１８】
前記ワイヤーバレルには、前記芯線と対向する面と反対側の面に、アンビルとの位置ずれを防止するための位置ずれ防止手段が形成されていることが好ましい。
【００１９】
前記位置ずれ防止手段は、前記ワイヤーバレルに形成された凹部であることが好ましい。
【００２０】
前記芯線はアルミニウム又はアルミニウム合金からなる構成とすることができる。
【００２１】
前記芯線は複数の素線が撚り合されてなることが好ましい。
【００２２】
前記電線は、前記芯線の外周を被覆する絶縁被覆を備えることが好ましい。
【００２３】
前記端子は、前記ワイヤーバレルから延びると共に前記絶縁被覆の外周に圧着されるインシュレーションバレルを備えることが好ましい。
【００２４】
前記端子は銅又は銅合金からなることが好ましい。
【００２５】
前記端子の表面にはメッキ層が形成されていることが好ましい。
【００２６】
前記メッキ層はスズメッキ層であることが好ましい。
【００２７】
前記端子は、前記ワイヤーバレルから延びると共に相手側端子と接続する接続部を備えることが好ましい。
【発明の効果】
【００２８】
本発明によれば、より良好な電気的性能と電線（芯線）の保持力とを両立できる端子及び端子付き電線を提供することができる。
【図面の簡単な説明】
【００２９】
【図１】図１は本発明の実施形態１に係る端子付き電線を示す側面図である。
【図２】図２は図１におけるＩＩ−ＩＩ線断面図である。
【図３】図３はアンビルの凸部と、ワイヤーバレルの凹部との係合構造を示す断面図である。
【図４】図４は本発明の実施形態２に係る端子付き電線を示す断面図である。
【図５】図５はワイヤーバレルの折り返し部を示す断面図である。
【図６】図６は本発明の実施形態３に係る端子付き電線を示す断面図である。
【発明を実施するための形態】
【００３０】
＜実施形態１＞
本発明の実施形態１を、図１ないし図３を参照しつつ説明する。本実施形態は、芯線１０を備えた電線１１と、芯線１０の接続された端子１２と、を備えた端子付き電線１３である。端子付き電線１３は、例えば、自動車、電気自動車、ハイブリッド車等の図示しない車両の内部に配索して使用される。以下の説明おいては、図１における左方を前方とし、右方を後方とする。また、図１における上方を上方とし、下方を下方とする。また、図２における左方を左方とし、右方と右方とする。
【００３１】
（電線１１）
電線１１は、金属製の芯線１０と、この芯線１０の外周を絶縁性の合成樹脂で被覆してなる絶縁被覆１４と、を備える。芯線１０の横断面は円形状をなしている。芯線１０の軸線は前後方向に延びている。
【００３２】
芯線１０は、複数の素線１５を撚り合せてなる。芯線１０を構成する金属としては、銅、銅合金、アルミニウム、アルミニウム合金、鉄、鉄合金等、必要に応じて任意の金属から適宜に選択できる。本実施形態においては、アルミニウム又はアルミニウム合金が用いられる。
【００３３】
（端子１２）
端子１２は、金属板材を所定の形状にプレス加工して形成される。端子１２を形成する金属としては、銅、銅合金、アルミニウム、アルミニウム合金、鉄、鉄合金等、必要に応じて任意の金属から適宜に選択できる。本実施形態においては、高い導電性を有することから銅又は銅合金が用いられる。
【００３４】
端子１２の表面には、メッキ層が形成されている。メッキ層を形成する金属として、スズ、はんだ、ニッケル、クロム、亜鉛、金、銀等、必要に応じて任意の金属から適宜に選択できる。本実施形態においては、接触抵抗を低減させるためにスズが用いられる。
【００３５】
端子１２には、芯線１０に圧着されるワイヤーバレル１６が形成されている。このワイヤーバレル１６はオープンバレルタイプであって、芯線１０の外周に抱き付くようにして圧着されている。これにより、芯線１０とワイヤーバレル１６とが電気的に、且つ物理的に接続されるようになっている。ワイヤーバレル１６には、芯線１０と接触する面に、凹部２５及び凸部２６の双方又は一方が形成されていてもよい。
【００３６】
ワイヤーバレル１６の後方には、インシュレーションバレル１７が延びて形成されている。インシュレーションバレル１７は、絶縁被覆１４の外周に巻き付くようにして圧着されている。これにより、インシュレーションバレル１７によって絶縁被覆１４が保持されるようになっている。なお、インシュレーションバレル１７は省略してもよい。
【００３７】
また、ワイヤーバレル１６の前方には、図示しない相手側端子と接続される接続部１８が形成されている。本実施形態においては、接続部１８は角筒状をなすと共に、内部に相手側端子と弾性的に接触する弾性片１９が形成されている。相手側端子と弾性片１９とが弾性的に接触することにより、相手側端子と端子１２とが電気的に接続される。
【００３８】
なお、この接続部１８は、細長く延びた雄タブとしてもよく、また、平板状に形成してもよく、また、平板を貫通する貫通孔が形成されたいわゆるＬＡ端子１２としてもよく、必要に応じて任意の形状としうる。
【００３９】
（芯線１０とワイヤーバレル１６との接続構造）
図２に示すように、芯線１０にワイヤーバレル１６が圧着された後におけるワイヤーバレル１６の高さ寸法であるクリンプハイトは、芯線１０に軸線に対して左側と右側とで異なっている。芯線１０の軸線に対して右側のクリンプハイトＨ１は、左側のクリンプハイトＨ２に比べて高くなっている。これにより、芯線１０のうちワイヤーバレル１６に圧着された領域において、芯線１０の軸線に対して右側の領域は比較的に弱く圧着された低圧縮領域２０とされ、芯線１０の軸線に対して左側の領域は低圧縮領域２０よりも強く圧着された高圧縮領域２１とされる。
【００４０】
低圧縮領域２０と、高圧縮領域２１とは、芯線１０の軸線方向と交差する方向について並んで位置している。本実施形態においては、左右方向について並んで配されている。詳細に説明すると、ワイヤーバレル１６の端部が当接する部分において上下方向に延びると共に前後方向に延びる仮想的な平面Ｐの右側の領域が低圧縮領域２０とされ、左側の領域が高圧縮領域２１とされている。低圧縮領域２０の断面積は高圧縮領域２１の断面積よりも大きく設定されている。
【００４１】
ワイヤーバレル１６のうち、芯線１０の低圧縮領域２０に圧着されている部分は低圧縮ワイヤーバレル２２とされ、芯線１０の高圧縮領域２１に圧着されている部分は高圧縮ワイヤーバレル２３とされる。
【００４２】
ワイヤーバレル１６の端部は、芯線１０の軸線の中心位置から左側にずれた位置に向かって変形されて、芯線１０の内部に押し込まれている。換言すると、低圧縮ワイヤーバレル２２の端部と、高圧縮ワイヤーバレル２３の端部とは、芯線１０の軸線の中心位置から左側にずれた位置において当接している。
【００４３】
図３に示すように、ワイヤーバレル１６の下面（芯線１０と対向する面と反対側の面）には、ワイヤーバレル１６を芯線１０に圧着する際に、ワイヤーバレル１６が載置されるアンビル２４との位置ずれを防止するための位置ずれ防止手段が形成されている。本実施形態においては、位置ずれ防止手段は、ワイヤーバレル１６の下面に、上方に窪んで形成された凹部２５とされる。この凹部２５は、ワイヤーバレル１６の下面を上方に叩き出すことにより形成される。この凹部２５に、アンビル２４の上面に上方に突出して形成された凸部２６が入り込むことにより、ワイヤーバレル１６の位置ずれが抑制されるようになっている。
【００４４】
（本実施形態の作用、効果）
続いて、本実施形態の作用、効果について説明する。本実施形態によれば、芯線１０には、低圧縮領域２０と、高圧縮領域２１とが、芯線１０の軸線方向と直交する方向（左右方向）について並んで形成されている。これにより、まず、低圧縮領域２０においては、芯線１０が低圧縮ワイヤーバレル２２によって圧着されることにより、芯線１０の保持力が向上する。これにより、電線１１に対して引張力が加えられた場合でも、電線１１から端子１２が離間することを抑制することができる。
【００４５】
また、高圧縮領域２１においては、芯線１０が高圧縮ワイヤーバレル２３によって圧着されることにより、素線１５の表面に形成された酸化被膜が破壊される。すると、素線１５の金属表面が、破壊された酸化被膜の間から露出する。この素線１５の金属表面と、ワイヤーバレル１６とが比較的に高い圧力で圧着されることにより、素線１５とワイヤーバレル１６との間が電気的に接続される。この結果、芯線１０と端子１２とが確実に電気的に接続される。
【００４６】
本実施形態においては、芯線１０は、芯線１０の低圧縮領域２０に圧着された低圧縮ワイヤーバレル２２によって確実に保持される。また、芯線１０と端子１２との電気的性能は、芯線１０の高圧縮領域２１に圧着された高圧縮ワイヤーバレル２３によって向上される。この結果、より良好な電気的性能と電線１１（芯線１０）の保持力とを両立させることができる。
【００４７】
また、本実施形態によれば、低圧縮領域２０の断面積は高圧縮領域２１の断面積よりも大きく設定されている。これにより、低圧縮領域２０と、高圧縮領域２１とを容易に形成することができる。
【００４８】
また、本実施形態によれば、低圧縮領域２０に圧着されたワイヤーバレル１６のクリンプハイトＨ１は、高圧縮領域２１に圧着されたワイヤーバレル１６のクリンプハイトＨ２よりも高く設定されている。これにより、低圧縮領域２０と、高圧縮領域２１とを、クリンプハイトＨ１，Ｈ２の高さを調節するという簡易な手法により形成することができる。
【００４９】
また、本実施形態によれば、ワイヤーバレル１６の端部は、芯線１０の軸線と異なる位置に向かって変形されて、芯線１０の内部に押し込まれている。換言すると、低圧縮ワイヤーバレル２２の端部と、高圧縮ワイヤーバレル２３の端部とは、芯線１０の軸線の中心位置からずれた位置において当接している。このように、低圧縮ワイヤーバレル２２の端部と、高圧縮ワイヤーバレル２３の端部とが当接する位置を調節するという簡易な手法によって、低圧縮領域２０と高圧縮領域２１とを形成することができる。
【００５０】
また、本実施形態によれば、低圧縮ワイヤーバレル２２の長さ寸法は高圧縮ワイヤーバレル２３の長さ寸法よりも長く設定されている。これにより、芯線１０に対して低圧縮ワイヤーバレル２２と高圧縮ワイヤーバレル２３とを同一の工程において圧着することにより、芯線１０に、低圧縮領域２０と高圧縮領域２１とを同一の工程において形成することができる。なお、低圧縮領域２０と高圧縮領域２１とを同一の工程において形成するとは、低圧縮領域２０と高圧縮領域２１とを同時に形成する場合を含むと共に、同一の工程において異なった時に形成される場合を含む。
【００５１】
また、本実施形態においては、ワイヤーバレル１６には、芯線１０と対向する面と反対側の面に、アンビル２４との位置ずれを防止するための位置ずれ防止手段が形成されている。この位置ずれ防止手段は、前記ワイヤーバレル１６に形成された凹部２５である。この凹部２５がアンビル２４に形成された凸部２６と係合することにより、アンビル２４と端子１２とが位置ずれすることを抑制できる。低圧縮ワイヤーバレル２２の長さ寸法と高圧縮ワイヤーバレル２３の長さ寸法とが異なる場合には、アンビル２４に端子１２を載置した状態で端子１２のバランスが崩れることが懸念されるので、特に有効である。
【００５２】
また、本実施形態においては、芯線１０はアルミニウム又はアルミニウム合金からなる。アルミニウム又はアルミニウム合金からなる芯線１０の表面には比較的に硬い酸化被膜が形成される。芯線１０と端子１２との電気的接続を図るためには、この酸化被膜を破壊して、新鮮な金属表面を露出させることが必要となる。そのためには、比較的に高い圧力で芯線１０を圧着する必要がある。このため、本実施形態のように、高圧縮ワイヤーバレル２３を比較的に高い圧力で芯線１０に圧着することにより、高圧縮領域２１において芯線１０の表面に形成された酸化被膜を破壊し、芯線１０の金属表面を露出させることができる。この金属表面と高圧縮ワイヤーバレル２３とが接触することにより、芯線１０と端子１２との電気的な接続を確実にすることができる。
【００５３】
本実施形態においては、芯線１０は複数の素線１５が撚り合されてなる。上記の場合、複数の素線１５の一つ一つの表面に酸化被膜が形成されることが懸念される。このような場合であっても、高圧縮ワイヤーバレル２３を比較的に高い圧力で素線１５に圧着することにより、素線１５の表面に形成された酸化被膜を確実に破壊して、素線１５の金属表面を露出させることができる。この結果、素線１５と高圧縮ワイヤーバレル２３との電気的な接続を確実にすることができる。
【００５４】
また、本実施形態においては、電線１１は、芯線１０の外周を被覆する絶縁被覆１４を備える。これにより、いわゆる裸電線１１を用いる場合に比べて、電線１１と車両とが短絡することを抑制するための構成が不要となるので、車両への配索構造を簡素化することができる。
【００５５】
また、本実施形態によれば、端子１２は、ワイヤーバレル１６から延びると共に絶縁被覆１４の外周に圧着されるインシュレーションバレル１７を備える。これにより、端子１２と電線１１との間の保持力を一層強くすることができる。
【００５６】
また、本実施形態においては、端子１２は銅又は銅合金からなるので、端子１２の電気的抵抗を一層下げることができる。
【００５７】
また、本実施形態には端子１２の表面にメッキ層が形成されているおり、このメッキ層はスズメッキ層である。これにより、端子１２と芯線１０との接触抵抗をさげることができる。これは、ワイヤーバレル１６を芯線１０に圧着させるときに、スズと、アルミニウムとの合金が形成されることにより、芯線１０と端子１２との電気的な抵抗を下げることができることによる。
【００５８】
また、本実施形態によれば、相手側端子と接続する接続部１８が形成されているので、電線１１と、相手側端子とを電気的に接続することができる。
【００５９】
＜実施形態２＞
次に、本発明の実施形態２を図４及び図５を参照しつつ説明する。本実施形態によれば、高圧縮ワイヤーバレル２３の端部には、折り返し部３０が形成されている。折り返し部３０は、芯線１０と接触する面に折り返されるようになっている。なお、折り返し部３０は、芯線１０と接触する面と反対側の面に折り返される構成としてもよい。上記の構成により、低圧縮ワイヤーバレル２２の長さ寸法は、高圧縮ワイヤーバレル２３の長さ寸法よりも長くなっている。
【００６０】
上記以外の構成については、実施形態１と略同様なので、同一部材については同一符号を付し、重複する説明を省略する。
【００６１】
上記の構成により、高圧縮ワイヤーバレル２３の端部を折り返すという簡易な手法により、低圧縮ワイヤーバレル２２の長さ寸法は、高圧縮ワイヤーバレル２３の長さ寸法よりも長くすることができる。
【００６２】
＜実施形態３＞
次に、本発明の実施形態３を、図６を参照しつつ説明する。本実施形態においては、ワイヤーバレル１６の端部は、芯線１０の軸線に向かって曲げられて、芯線１０の内部に入り込むようになっている。
【００６３】
上記以外の構成については、実施形態１と略同様なので、同一部材については同一符号を付し、重複する説明を省略する。
【００６４】
本実施形態のように、ワイヤーバレル１６の端部が、芯線１０の軸線に向かって曲げられて、芯線１０の内部に入り込むようになっている形態についても、芯線１０に、低圧縮領域２０と高圧縮領域２１とを形成することができる。
【００６５】
＜他の実施形態＞
本発明は上記記述及び図面によって説明した実施形態に限定されるものではなく、例えば次のような実施形態も本発明の技術的範囲に含まれる。
（１）芯線１０は単芯線でもよい。
【００６６】
（２）電線１１は、絶縁被覆１４を有しない裸電線でもよい。
【００６７】
（３）各素線１５の表面には被膜が形成されていてもよい。被膜は、メッキ層でもよく、また酸化被膜でもよい。素線１５に形成されるメッキ層としては、スズ、はんだ、金、銀等、必要に応じて任意の金属から適宜に選択できる。素線１５に形成される酸化被膜としては、アルミ製の素線１５の表面に形成されたアルマイト層、ベーマイト層等、必要に応じて任意の酸化被膜を適宜に形成できる。
【００６８】
（４）本実施形態においては、低圧縮領域２０と高圧縮領域２１とは左右方向に並んで形成されていたが、これに限られず、低圧縮領域２０と高圧縮領域２１とは、低圧縮領域２０が左側に位置すると共に高圧縮領域２１が右側に位置していてもよく、また、上下方向に並んで形成されていてもよい。低圧縮領域２０と高圧縮領域２１とは、芯線１０の軸線と交差する方向について並んで配されていれば、任意の方向について並ぶ位置に形成することができる。
【００６９】
（５）端子１２の表面にメッキ層を形成しない構成としてもよい。
【００７０】
（６）接続部１８は、細長く延びた雄タブとしてもよく、また、平板状に形成してもよく、また、平板を貫通する貫通孔が形成されたいわゆるＬＡ端子としてもよく、必要に応じて任意の形状としうる。
（７）インシュレーションバレル１７は省略してもよい。
【００７１】
（８）芯線１０の軸線に向かってワイヤーバレル１６の端部を変形させて、ワイヤーバレル１６の端部を芯線１０に押し込むようにしてワイヤーバレル１６を芯線１０に圧着した後に、ワイヤーバレル１６の一方をペンチ等の工具や、プレス機等で挟んで圧力を加えることにより、高圧縮領域２１を形成してもよい。
【００７２】
（９）参考例として、ワイヤーバレル１６の端部が芯線１０の軸線と異なる位置に向かって変形されて、芯線１０の内部に押し込まれており、低圧縮領域２０に圧着されたワイヤーバレル１６のクリンプハイトＨ１と、高圧縮領域２１に圧着されたワイヤーバレル１６のクリンプハイトＨ２とが、同じ高さに設定されていてもよい。
【００７３】
（１０）本実施形態においては、１つの電線１１の端部に１つの端子１２が接続される構成としたが、これに限られず、複数の電線１１において、電線１１の端部と異なる部分において絶縁被覆１４を剥がして芯線１０を露出させ、この露出された複数の芯線１０にワイヤーバレル１６を圧着することにより、複数の電線１１を電気的に接続する構成としてもよい。
【００７４】
（１１）本実施形態においては、１つの電線１１の端部に１つの端子１２が接続される構成としたが、これに限られず、複数の電線１１において、電線１１の端部の絶縁被覆１４を剥がして芯線１０を露出させ、この露出された複数の芯線１０にワイヤーバレル１６を圧着することにより、複数の電線１１を電気的に接続する構成としてもよい。
【符号の説明】
【００７５】
１０…芯線
１１…電線
１２…端子
１３…端子付き電線
１４…絶縁被覆
１５…素線
１６…ワイヤーバレル
１７…インシュレーションバレル
１８…接続部
２０…低圧縮領域
２１…高圧縮領域
２２…低圧縮ワイヤーバレル
２３…高圧縮ワイヤーバレル
２５…凹部（位置ずれ防止手段）
【図１】
0005757226.tif 000002
【図２】
0005757226.tif 000003
【図３】
0005757226.tif 000004
【図４】
0005757226.tif 000005
【図５】
0005757226.tif 000006
【図６】
0005757226.tif 000007